(57)【要約】【課題】一台のコンピュータ装置において複数の機種の機器のアプリケーションを扱う場合に、アプリケーションの選択や実行などの操作を、確実にかつ容易な方法で実現可能な入力装置を提供する。【解決手段】複数の機種の機器のそれぞれのアプリケーションを実行するアプリケーション実行手段と、撮像姿勢に応じた視野の被写体を撮像する撮像手段と、撮像画像を表示する表示手段と、複数の機種の機器の外観を予め記憶する記憶手段と、対象機器の外観の所定の位置への到達を契機に、当該外観を記憶手段に記憶された複数の機種の機器のそれぞれの外観と照合して対象機器の機種を特定する機種特定手段と、特定された機種に対応するアプリケーションをアプリケーション実行手段に実行させて当該アプリケーションが提供するアプリケーション画面を取得し、被写体に重畳して表示させる表示制御手段と、を備える。【選択図】図１
2019152920.tif 000002
【特許請求の範囲】
【請求項１】
複数の機種の機器のそれぞれのアプリケーションを実行するアプリケーション実行手段と、
撮像姿勢に応じた視野の被写体を撮像する撮像手段と、
前記撮像手段により撮像された画像を表示する表示手段と、
前記複数の機種の機器のそれぞれの外観を予め記憶する記憶手段と、
前記視野に外観が含まれる前記機器のうち、前記撮像姿勢の変化により前記視野の所定の位置に外観が到達した前記機器を対象機器として、前記所定の位置への到達を契機に、前記対象機器の外観を前記記憶手段に記憶された前記複数の機種の機器のそれぞれの外観と照合することにより、前記対象機器の機種を特定する機種特定手段と、
特定された機種に対応するアプリケーションを前記アプリケーション実行手段に実行させて当該アプリケーションが提供するアプリケーション画面を取得し、前記被写体に重畳して前記表示手段に表示させる表示制御手段と、
を備える入力装置。
【請求項２】
前記表示制御手段は、前記アプリケーションに対する情報の入力を、前記撮像姿勢の変化による前記視野の移動に伴い移動した前記アプリケーション画面における前記情報に対応する所定の部分が、前記視野における所定の位置に到達したことを契機に実行することを特徴とする請求項１に記載の入力装置。
【請求項３】
前記アプリケーションに入力される情報は、前記アプリケーション画面への入力インタフェースの提供要求であり、
前記表示制御手段は、前記アプリケーションから前記提供要求に基づき提供された前記入力インタフェースを前記被写体に重畳して前記表示手段に表示させ、前記入力インタフェースに対応する情報の前記アプリケーションへの入力を、前記撮像姿勢の変化による前記視野の移動に伴い移動した前記入力インタフェースが、前記視野の所定の位置に到達したことを契機に実行する
ことを特徴とする請求項２に記載の入力装置。
【請求項４】
前記アプリケーション実行手段は、前記アプリケーションに入力される情報に対応する情報を、所定の通信手段を介して前記対象機器に入力することを特徴とする請求項２又は３に記載の入力装置。
【請求項５】
前記機種特定手段は、前記視野に外観が含まれる前記機器のうち、前記視野の所定の位置にない前記機器である対象外機器について、外観を前記記憶手段に記憶された前記複数の機種の機器のそれぞれの外観と照合することにより機種を特定し、
前記表示制御手段は、前記対象外機器について特定された機種に対応する前記アプリケーションを前記アプリケーション実行手段に実行させて当該アプリケーションが提供するアプリケーション画面を取得し、前記被写体に重畳して前記表示手段に表示させる
ことを特徴とする請求項１から４のいずれか１項に記載の入力装置。
【請求項６】
前記アプリケーション実行手段は、前記機器の所定の情報を所定の通信手段を介して前記機器から逐次取得し、
前記表示制御手段は、前記アプリケーション画面の表示に際して前記機器の所定の情報を含めて表示する
ことを特徴とする請求項１から５のいずれか１項に記載の入力装置。
【請求項７】
前記記憶手段は、前記複数の機種の機器のそれぞれの外観の代わりに、前記複数の機種のそれぞれに対応する物の外観を予め記憶し、
前記機種特定手段は、前記視野に含まれる物の外観を、前記記憶手段に記憶された前記複数の機種のそれぞれに対応する物の外観と照合することにより機種を特定する
ことを特徴とする請求項１から６のいずれか１項に記載の入力装置。
【請求項８】
前記機種特定手段及び／又は前記表示制御手段において、前記所定の位置への到達を契機に実行される処理は、到達状態が所定の時間維持されたことを条件に実行されることを特徴とする請求項１から７のいずれか１項に記載の入力装置。
【請求項９】
前記機種特定手段及び／又は前記表示制御手段において、前記所定の位置への到達を契機に実行される処理は、前記所定の位置への到達に加え、前記機種特定手段及び／又は前記表示制御手段に所定のトリガが与えられたことを条件に実行されることを特徴とする請求項１から７のいずれか１項に記載の入力装置。
【請求項１０】
前記撮像手段による撮像姿勢が利用者の姿勢に応じて変化し、かつ、前記表示手段が利用者の目に対向するように、利用者が頭部に装着して使用可能に構成されることを特徴とする請求項１から９のいずれか１項に記載の入力装置。
【請求項１１】
少なくとも前記撮像手段と前記表示手段とを含み、前記撮像手段による撮像姿勢が前記利用者の姿勢に応じて変化し、かつ、前記表示手段が利用者の目に対向するように、前記利用者が頭部に装着して使用可能とされた入出力部と、
前記各手段のうち、前記入出力部に含まれない手段を含む制御部と、
に分割して構成され、前記入出力部と前記制御部とが相互に通信可能とされている
ことを特徴とする請求項１から９のいずれか１項に記載の入力装置。
【請求項１２】
前記記憶手段は、所定の通信手段を介して通信可能な外部に配置されることを特徴とする請求項１から１１のいずれか１項に記載の入力装置。
【請求項１３】
前記機器は、測定機器であることを特徴とする請求項１から１２のいずれか１項に記載の入力装置。
【発明の詳細な説明】
【技術分野】
【０００１】
本発明は、機器を撮像することにより機種を特定して当該機種に対応するアプリケーションの実行などを可能とする入力装置に関する。
【背景技術】
【０００２】
近年、各種機器の使用に際してのデータの管理や機器の制御を、機器本体やパソコンなどにインストールされたアプリケーションを用いて行うことが一般的になってきている。アプリケーションへのデータやコマンドなどの入力操作は、機器が本体に備えるボタンやタッチパネルディスプレイなどの入力手段から使用者が直接入力する方法や、アプリケーションがインストールされたパソコンやスマートフォンなどのコンピュータ装置の表示手段に表示されたアプリケーション画面に入力する方法などが採用される。
【０００３】
一台のコンピュータ装置において複数の機種の機器のアプリケーションを扱う場合、コンピュータ装置に各機種のアプリケーションをインストールしておき、機器を使用する都度、当該機器に対応する機種のアプリケーションを選択して実行し、表示手段に表示されたアプリケーション画面に対して入力操作を行うのが一般的である。
【０００４】
使用者によるアプリケーションの選択や実行の操作及び情報の入力の操作は、キーボード、マウス、タッチパネルディスプレイといった手を使う入力手段を利用して行う方法のほか、近年では手を使わないハンズフリーの入力方法も提案されている。例えば、フットスイッチ、音声認識を用いる方法や、特許文献１に示されるユーザの眼の動きを用いた方法などが挙げられる。ハンズフリーの入力方法は、機器の使用に際して両手が塞がる場合、例えば機器が測定機器であれば、一方の手に測定機器を、他方の手に測定対象物を持って測定を行うような場合に特に有効である。
【先行技術文献】
【特許文献】
【０００５】
【特許文献１】特開２０１７−１５１６７２号公報
【発明の概要】
【発明が解決しようとする課題】
【０００６】
フットスイッチを用いる入力方法では、アプリケーション画面への入力などの複雑な操作は困難である。音声認識を用いる入力方法では、環境ノイズの影響や不明瞭な発話などにより誤認識が生じやすい。また、特許文献１の入力方法では、ユーザの眼の動きを撮像し解析する機能が必要となる。
【０００７】
本発明の目的は、一台のコンピュータ装置において複数の機種の機器のアプリケーションを扱う場合に、アプリケーションの選択や実行などの操作を確実にかつ容易な方法で実現可能な入力装置を提供することにある。
【課題を解決するための手段】
【０００８】
本発明の入力装置は、複数の機種の機器のそれぞれのアプリケーションを実行するアプリケーション実行手段と、撮像姿勢に応じた視野の被写体を撮像する撮像手段と、撮像手段により撮像された画像を表示する表示手段と、複数の機種の機器のそれぞれの外観を予め記憶する記憶手段と、撮像手段の視野に外観が含まれる機器のうち、撮像姿勢の変化により撮像手段の視野の所定の位置に外観が到達した機器を対象機器として、所定の位置への到達を契機に、対象機器の外観を記憶手段に記憶された複数の機種の機器のそれぞれの外観と照合することにより、対象機器の機種を特定する機種特定手段と、特定された機種に対応するアプリケーションをアプリケーション実行手段に実行させて当該アプリケーションが提供するアプリケーション画面を取得し、被写体に重畳して表示手段に表示させる表示制御手段と、を備える。
【０００９】
このような構成によれば、撮像方向を変化させるという容易な方法で、対象機器の機種を特定し、特定した機種に対応するアプリケーション画面を表示手段に確実に表示させることができる。
【００１０】
表示制御手段は、例えば、アプリケーションに対する情報の入力を、撮像姿勢の変化による視野の移動に伴い移動したアプリケーション画面における、当該情報に対応する所定の部分が、撮像手段の視野の所定の位置に到達したことを契機に実行するようにしてもよい。
【００１１】
これにより、撮像方向を変化させるという容易な方法で、アプリケーションに対して情報を確実に入力することができる。
【００１２】
アプリケーションに入力される情報を、アプリケーション画面への入力インタフェースの提供要求とし、表示制御手段が、アプリケーションから当該提供要求に基づき提供された入力インタフェースを被写体に重畳して表示手段に表示させ、入力インタフェースに対応する情報のアプリケーションへの入力を、撮像姿勢の変化による視野の移動に伴い移動した入力インタフェースが、撮像手段の視野の所定の位置に到達したことを契機に実行するようにしてもよい。
【００１３】
これにより、撮像方向を変化させることで、入力インタフェースからの情報の入力が可能となる。
【００１４】
アプリケーション実行手段は、アプリケーションに入力される情報に対応する情報を所定の通信手段を介して対象機器に入力するようにしてもよい。
【００１５】
これにより、撮像方向を変化させることで、情報として例えばコマンドなどを対象機器に入力して対象機器を制御することが可能となる。
【００１６】
機種特定手段が、撮像手段の視野に外観が含まれる機器のうち、撮像手段の視野の所定の位置にない機器である対象外機器について、外観を記憶手段に記憶された複数の機種の機器のそれぞれの外観と照合することにより機種を特定し、表示制御手段が、対象外機器について特定された機種に対応するアプリケーションをアプリケーション実行手段に実行させて当該アプリケーションが提供するアプリケーション画面を取得し、被写体に重畳して表示手段に表示させるようにしてもよい。
【００１７】
これにより、アプリケーションへの情報入力操作の対象外の機器についても機種を特定し、特定した機種に対応するアプリケーション画面を表示手段に表示させることができる。
【００１８】
アプリケーション実行手段が、機器の所定の情報を所定の通信手段を介して当該機器から逐次取得し、表示制御手段が、アプリケーション画面の表示に際して当該機器の所定の情報を含めて表示するようにしてもよい。
【００１９】
これにより、撮像方向を変化させることで、表示手段に機器の情報を表示させることが可能となる。
【００２０】
記憶手段が、複数の機種の機器のそれぞれの外観の代わりに、複数の機種のそれぞれに対応する物の外観を予め記憶し、機種特定手段が、撮像手段の視野に含まれる物の外観を、記憶手段に記憶された複数の機種のそれぞれに対応する物の外観と照合することにより機種を特定するようにしてもよい。
【００２１】
これにより、何らかの事情により、表示手段における機器の表示位置を所定の位置に移動させることができない場合にも、代替物により当該機器が存在しているとみなして当該機器の機種を特定することができる。
【００２２】
機種特定手段及び／又は表示制御手段における、所定の位置への到達を契機に実行される処理は、到達状態が所定の時間維持されたことを条件に実行されるようにしてもよい。
【００２３】
処理の実行にこのような条件を付加することで、誤操作を防ぐことができる。
【００２４】
また、機種特定手段及び／又は表示制御手段における、所定の位置への到達を契機に実行される処理は、所定の位置への到達に加え、機種特定手段及び／又は表示制御手段に所定のトリガが与えられたことを条件に実行されるようにしてもよい。
【００２５】
処理の実行にこのような条件を付加することによっても、誤操作を防ぐことができる。
【００２６】
本発明の入力装置は、撮像手段による撮像姿勢が利用者の姿勢に応じて変化し、かつ、表示手段が利用者の目に対向するように、利用者が頭部に装着して使用可能に構成してもよい。
【００２７】
このように構成することで、利用者が首などを動かすだけのハンズフリー操作により、撮像された機器の機種の特定、特定された機種のアプリケーション画面の表示及びアプリケーションへの情報の入力を行うことができる。
【００２８】
本発明の入力装置を、少なくとも撮像手段と表示手段とを含み、撮像手段による撮像姿勢が利用者の姿勢に応じて変化し、かつ、表示手段が利用者の目に対向するように、利用者が頭部に装着して使用可能とされた入出力部と、入出力部に含まれる手段以外の各手段を含む制御部と、に分割し、入出力部と制御部とが相互に通信可能なように構成してもよい。
【００２９】
これにより、装置設計の自由度を高めることができる。
【００３０】
記憶手段は、所定の通信手段を介して通信可能な外部に配置してもよい。
【００３１】
これにより、例えばクラウドなどを利用して、各機種の外観情報を他の入力装置と共有したり、記憶手段に記憶させる情報の更新の効率化を図ったりすることができる。
【００３２】
機器は、例えば測定機器としてもよい。
【図面の簡単な説明】
【００３３】
【図１】本発明の入力装置の機能ブロック図である。
【図２】操作対象機器の特定に際しての被写体の表示位置の移動操作を説明する図である。
【図３】アプリケーション画面を介した指示入力に際しての被写体の表示位置の移動操作を説明する図である。
【図４】入力インタフェースを用いた指示入力に際しての被写体の表示位置の移動操作を説明する図である。
【図５】それぞれの測定機器に対してアプリケーション画面を表示させる例を示す図である。
【図６】本発明の入力装置の別の機能ブロック図である。
【発明を実施するための形態】
【００３４】
本発明の入力装置は、撮像された機器の機種の特定や、特定された機種のアプリケーション画面の表示などを、撮像方向を変化させることで可能とする装置である。
【００３５】
以下、本発明の入力装置の実施形態について説明する。なお、以下では機器が測定機器である場合を例にとって説明するが、あくまで一例であり機器の種類は限定されない。
【００３６】
＜第１実施形態＞
図１に入力装置１００の機能ブロック図を示す。
【００３７】
入力装置１００は、アプリケーション実行手段１１１、撮像手段１２１、表示手段１２２、記憶手段１２３、機種特定手段１２４、及び表示制御手段１２５を備える。
【００３８】
このうち、アプリケーション実行手段１１１、機種特定手段１２４及び表示制御手段１２５については、例えば、入力装置１００にＣＰＵとプログラムを記憶するメモリを備え、これら各手段の機能が書き込まれたプログラムをメモリからＣＰＵに読み込んで実行することにより実現してもよい。
【００３９】
アプリケーション実行手段１１１は、複数の機種の測定機器１０のそれぞれのアプリケーションを実行する。各機種の機器を制御するそれぞれのアプリケーションは、例えば、アプリケーション実行手段１１１を実現するプログラムと一体的に構成してもよいし、別々に構成して協働させてもよい。
【００４０】
撮像手段１２１は、撮像姿勢に応じた視野の被写体を撮像し、撮像された画像が表示手段１２２に表示される。撮像手段１２１は一般的なイメージセンサでもよいし、３Ｄセンサでもよい。
【００４１】
ところで、入力装置１００においては、撮像方向を変化させて表示手段１２２における被写体の表示位置を所定の位置に移動させることで機種の特定や、当該機種のアプリケーション画面の表示手段１２２への表示などを実現する。撮像方向を変化させる方法は任意であり、入力装置１００を手に持って手で撮像方向を変化させてもよいし、身体のどこかに装着して身体の動きによって変化させてもよい。例えば、入力装置１００を表示手段１２２が利用者の目に対向するように利用者が頭部に装着して使用可能に構成すれば、頭部を動かすことで撮像方向を変化させることができ、これによりハンズフリーでの機種の特定や、アプリケーション画面の表示手段１２２への表示などが可能となる。頭部に装着する構成は、例えばコンピュータ内蔵のヘッドマウントディスプレイ装置の適用により実現することができる。
【００４２】
記憶手段１２３は、複数の機種の測定機器１０のそれぞれの外観を予め記憶する任意の記憶媒体である。記憶される測定機器１０の外観は、例えば、測定機器１０の３次元モデルデータであり、具体的にはＣＡＤデータやポリゴンデータなどが挙げられる。なお、記憶手段１２３には、測定機器１０の外観を記憶させるほか、アプリケーション実行手段１１１、機種特定手段１２４及び表示制御手段１２５を実現するプログラムを記憶させてもよい。
【００４３】
記憶手段１２３は、有線伝送路又は無線伝送路を介して通信可能な外部に配置してもよい。これにより、例えばクラウドなどを利用して、各機種の外観情報を他の入力装置１００と共有したり、記憶手段１２３に記憶させる情報の更新の効率化を図ったりすることができる。
【００４４】
機種特定手段１２４は、撮像手段１２１の視野に外観が含まれる測定機器１０のうち、撮像姿勢の変化により撮像手段１２１の視野の所定の位置に外観が到達した機器を対象機器として、所定の位置への到達を契機に、当該対象機器の外観を記憶手段１２３に記憶された複数の機種の機器のそれぞれの外観と照合することにより、対象機器の機種を特定する。
【００４５】
外観の到達を判断する撮像手段１２１の視野の所定の位置は任意に設定してよい。また、所定の位置は点に限らず、線や領域で設定しても構わない。
【００４６】
また、外観の到達の判断方法も任意である。例えば、機種特定手段１２４が撮像手段１２１により撮像された画像を逐次取得し、その画像に含まれる図形を認識して、認識されたいずれか図形の到達をもって判断する。
【００４７】
図２(a)と図２(b)を参照して、撮像手段１２１の視野１２１ａに外観が含まれる測定機器１０ａの外観を、撮像姿勢を変化させることで視野１２１ａの中央に設定された円形の領域である所定の位置１２１ｂに到達させる態様を説明する。
【００４８】
図２(a)は、被写体Ｂのうち撮像手段１２１の視野１２１ａに測定機器１０ａと測定機器１０ｂが存在している状態を示したものである。図２(a)の状態から、利用者が首を動かすなどして撮像手段１２１の視野１２１ａを紙面右方向に移動させることで、図２(b)に示すように測定機器１０ａの外観を所定の位置１２１ｂに到達させることができる。
【００４９】
撮像手段１２１により撮像された対象機器の外観と記憶手段１２３に記憶された外観との照合は、任意の公知技術により行ってよい。具体的には、例えば、撮像画像に含まれる測定機器１０の外観から抽出される複数の特徴点と、記憶手段１２３に記憶された測定機器１０の３次元モデルが有する複数の特徴点と、の類似度をそれぞれの機種について評価し、最も類似度が高くかつ一定以上の類似度がある機種が、対象機器の機種であると特定する。
【００５０】
なお、照合処理は外観の所定の位置への到達に加え、到達状態が所定の時間維持されたことを条件に実行されるようにしてもよいし、トリガ源２０から所定のトリガが与えられたことを条件に実行されるようにしてもよい。所定のトリガとしては、例えば、フットスイッチの押下や音声の認識などが挙げられる。このように処理の実行に条件を付加することで、誤操作を防ぐことができる。
【００５１】
表示制御手段１２５は、特定された機種に対応するアプリケーションをアプリケーション実行手段１１１に実行させて当該アプリケーションが提供するアプリケーション画面を取得し、被写体に重畳して表示手段１２２に表示させる。例えば、図２(b)に示すように測定機器１０ａの外観が所定の位置１２１ｂに到達し、機種が特定されると図３(a)に示すように測定機器１０ａの機種に対応するアプリケーション画面１０ａｗを被写体に重畳して表示させる。なお、図３(a)におけるアプリケーション画面１０ａｗの表示位置は一例であり、表示位置は任意に設定してよい。
【００５２】
アプリケーション画面の内容は任意である。例えば、アプリケーションに対する指示の入力ボタン、測定機器１０の現在の設定内容、及び測定機器１０による直近の測定結果などの所定の情報を含むようにしてもよい。測定機器１０が保持する情報を含める場合には、例えば、アプリケーション実行手段１１１が当該所定の情報を、測定機器１０の測定関係の機能部である測定手段１１から測定機器１０側の所定の通信手段１２及び入力装置１００側の所定の通信手段１２６を介して取得し、これをアプリケーション画面に含める。また、測定機器１０の最新の情報をアプリケーション画面に逐次表示したい場合には、例えば、アプリケーション実行手段１１１が測定手段１１から所定の情報を逐次取得し、これがアプリケーション画面に逐次反映されるように、アプリケーション実行手段１１１と表示制御手段１２５との間で情報の送受を行う。最新の情報を表示させるようにすることで、例えば、測定機器１０において直接入力された設定内容などをアプリケーション画面で確認することができ、入力ミスの速やかな把握などの効果が期待できる。
【００５３】
以上説明した第１実施形態の構成によれば、撮像方向を変化させるという容易な方法で、操作対象の機器の機種を特定し、特定した機種に対応するアプリケーション画面を表示手段に確実に表示させることができる。
【００５４】
なお、記憶手段１２３が、複数の機種の機器のそれぞれの外観の代わりに、複数の機種のそれぞれに対応する物の外観を予め記憶し、機種特定手段１２４が、撮像手段の視野に含まれる物の外観を、記憶手段１２３に記憶された複数の機種のそれぞれに対応する物の外観と照合することにより機種を特定するようにしてもよい。
【００５５】
これにより、何らかの事情により、表示手段における機器の表示位置を所定の位置に移動させることができない場合にも、代替物により当該機器が存在しているとみなして当該機器の機種を特定することができる。
【００５６】
＜第２実施形態＞
第１実施形態の構成において更に表示制御手段１２５が、例えば、撮像方向の変化による視野の移動に伴い移動したアプリケーション画面における、所定の情報に対応する所定の部分が、撮像手段１２１の視野の所定の位置に到達したことを契機に、アプリケーションに対する所定の情報の入力を実行するようにしてもよい。
【００５７】
アプリケーション画面１０ａｗは、例えば、図３(a)に示す状態から利用者が撮像方向を変化させて撮像手段１２１の視野１２１ａを紙面右斜め上方向に移動させることで、図３(b)に示すようにアプリケーション画面１０ａｗの外観を所定の位置１２１ｂに到達させることができる。
【００５８】
これにより、例えば、アプリケーション画面の任意の位置に設けたボタンに、所定の情報である、アプリケーション実行手段１１１のアプリケーションに対する、測定機器１０の測定手段１１への測定実行指示コマンドの送信指示を割り付けておき、利用者が撮像方向を変化させて当該ボタンを撮像手段１２１の視野の所定の位置に到達させることで、アプリケーションに対するコマンドの送信指示を入力するように構成することができる。
【００５９】
具体的には、アプリケーション実行手段１１１が、ボタンの所定の位置への到達を、アプリケーションに入力される所定の情報である測定実行指示コマンドの送信指示として認識し、それを契機に、測定実行指示コマンドを所定の通信手段１２６及び所定の通信手段１２を介して対象機器である測定機器１０に入力するように構成する。
【００６０】
これにより、撮像方向を変化させることで、コマンドなどの情報を対象機器に入力して対象機器を制御することが可能となる。
【００６１】
アプリケーションに入力する所定の情報を、例えば、アプリケーション画面への入力インタフェースの提供要求とし、表示制御手段１２５が、アプリケーションから提供された入力インタフェースを被写体に重畳して表示手段１２２に表示させ、撮像姿勢の変化による視野の移動に伴い移動した入力インタフェースが、撮像手段１２１の視野の所定の位置に到達したことを契機に、入力インタフェースに割り付けられた情報のアプリケーションへの入力を実行するようにしてもよい。
【００６２】
例えば、図３(b)に示すようにアプリケーション画面１０ａｗが所定の位置１２１ｂに到達すると図４(a)に示すように測定機器１０ａの機種に対応する入力インタフェース１０ａｍが被写体に重畳して表示される。なお、図４(a)における入力インタフェース１０ａｍの表示位置は一例であり、表示位置は任意に設定してよい。
【００６３】
更に、入力インタフェース１０ａｍは、例えば、図４(a)に示す状態から利用者が首を動かすなどして撮像手段１２１の視野１２１ａを紙面左斜め下方向に移動させることで、図４(b)に示すようにアプリケーション画面１０ａｗの外観を所定の位置１２１ｂに到達させることができる。
【００６４】
入力インタフェースとしては、例えば、メニューやボタンなどが挙げられ、複数個表示させるようにしてもよい。それぞれの入力インタフェースに対して割り付けられ、当該入力インタフェースが所定の位置に到達したことを契機にアプリケーションに対して入力される情報は任意であり、例えば、測定機器１０へのコマンド送信指示や、更に下位のメニューやボタンの提供指示などが挙げられる。
【００６５】
以上説明した第２実施形態の構成によれば、利用者が撮像方向を変化させるという容易な方法で、アプリケーションに対して、直接又はボタンやメニューを介して所定の指示を確実に入力することができる。
【００６６】
なお、表示制御手段１２５における、アプリケーションに対する所定の情報の入力処理は、外観の所定の位置への到達に加え、到達状態が所定の時間維持されたことを条件に実行されるようにしてもよいし、トリガ源２０から所定のトリガが与えられたことを条件に実行されるようにしてもよい。所定のトリガとしては、例えば、フットスイッチの押下や音声の認識などが挙げられる。このように処理の実行に条件を付加することで、誤操作を防ぐことができる。
【００６７】
＜第３実施形態＞
第１実施形態又は第２実施形態の構成において更に、機種特定手段１２４が、撮像手段１２１の視野に外観が含まれる機器のうち、撮像手段１２１の視野の所定の位置にない機器である対象外機器についても、外観を記憶手段１２３に記憶された複数の機種の機器のそれぞれの外観と照合することにより機種を特定し、表示制御手段１２５が、対象外機器について特定された機種に対応するアプリケーションをアプリケーション実行手段１１１に実行させて当該アプリケーションが提供するアプリケーション画面を取得し、被写体に重畳して表示手段１２２に表示させるようにしてもよい。
【００６８】
例えば、図２(b)に示すように測定機器１０ａの外観が所定の位置１２１ｂに到達したことを契機に、機種特定手段１２４が撮像手段１２１の視野に外観が含まれるすべての測定機器１０（測定機器１０ａ及び測定機器１０ｂ）について機種を特定し、表示制御手段１２５が、それぞれについて特定された機種に対応するアプリケーションが提供するアプリケーション画面１０ａｗ及びアプリケーション画面１０ｂｗを、図５に示すように被写体に重畳して表示手段１２２に表示させる。なお、図５におけるアプリケーション画面１０ａｗ及びアプリケーション画面１０ｂｗの表示位置は一例であり、表示位置は任意に設定してよい。
【００６９】
これにより、アプリケーションへの情報入力操作の対象外の機器についても機種を特定し、特定した機種に対応するアプリケーション画面を表示手段に表示させることができる。
【００７０】
なお、それぞれのアプリケーションが提供するアプリケーション画面を、機器が対象機器として特定された場合と対象外機器として特定された場合とで異なるものとしてもよい。
【００７１】
また、機種の特定及びアプリケーション画面の表示のタイミングは一例であり、必ずしも測定機器１０ａの外観が所定の位置１２１ｂに到達したことを契機にしなくてもよい。
【００７２】
＜第４実施形態＞
上記の各実施形態の入力装置１００は必ずしも一体的に構成しなくてもよく、例えば、少なくとも撮像手段１２１と表示手段１２２とを含み、撮像手段１２１による撮像姿勢が利用者の姿勢に応じて変化し、かつ、表示手段１２２が利用者の目に対向するように、利用者が頭部に装着して使用可能とされた入出力部１２０と、入出力部１２０に含まれる手段以外の各手段を含む制御部１１０と、に分割し、制御部１１０と入出力部１２０とが相互に通信可能なように構成してもよい。
【００７３】
制御部１１０と入出力部１２０とに分割する形態としては測定機器１０を制御するアプリケーションがインストールされたスマートフォンなどの端末装置を制御部１１０とし、コンピュータを内蔵するヘッドマウントディスプレイ装置を入出力部１２０として構成する場合が一例として挙げられる。
【００７４】
図６は、アプリケーション実行手段１１１、タッチパネルディスプレイなどの入力表示手段１１２及び通信手段１１３により制御部１１０を構成し、アプリケーション実行手段１１１以外の構成要素を入出力部１２０として構成した場合の機能ブロック図である。図６は制御部１１０をシンプルに構成する場合を例示したものであるが、逆に、入出力部１２０を撮像手段１２１と表示手段１２２のみの最小限の構成要素で構成し、残りの構成要素を制御部１１０として構成してもよいし、入出力部１２０を最小限の構成要素が含まれるように構成すれば、その他の機能分担で構成しても構わない。
【００７５】
以上説明した第４実施形態の構成によれば、装置設計の自由度を高めることができる。
【００７６】
本発明は、上記の各実施形態に限定されるものではない。各実施形態は例示であり、本発明の特許請求の範囲に記載された技術的思想と実質的に同一な構成を有し、同様な作用効果を奏するものは、いかなるものであっても本発明の技術的範囲に包含される。すなわち、本発明において表現されている技術的思想の範囲内で適宜変更が可能であり、その様な変更や改良を加えた形態も本発明の技術的範囲に含む。
【符号の説明】
【００７７】
１０、１０ａ、１０ｂ…測定機器
１０ａｍ…入力インタフェース
１０ａｗ、１０ｂｗ…アプリケーション画面
１１…測定手段
１２、１１３、１２６…通信手段
２０…トリガ源
１００…入力装置
１１０…制御部
１１１…アプリケーション実行手段
１１２…入力表示手段
１２０…入出力部
１２１…撮像手段
１２１ａ…視野
１２１ｂ…所定の位置
１２２…表示手段
１２３…記憶手段
１２４…機種特定手段
１２５…表示制御手段
Ｂ…被写体
【図１】
2019152920.tif 000003
【図２】
2019152920.tif 000004
【図３】
2019152920.tif 000005
【図４】
2019152920.tif 000006
【図５】
2019152920.tif 000007
【図６】
2019152920.tif 000008